(57)【要約】      （修正有）【課題】固定作業を煩雑にすることなく、外観を損なうことなく、釣糸ガイドと竿杆との間で接着剤（合成樹脂）の充填及び／又は浸潤の度合いを高めて釣糸ガイドと竿杆との固着強度を高めることができる（十分な抜け強度を有する）釣糸ガイドの固定構造及び釣竿を提供する。【解決手段】釣糸ガイド７の固定構造は、固定糸１８が脚部１６の外面上と釣竿１の外周面上とにわたって巻回されて成る上糸巻回層３０と、固定糸１８が脚部１６と釣竿１との間を通るように釣竿１の外周面上にわたって巻回されて成る下糸巻回層４０とを有し、上糸巻回層３０及び下糸巻回層４０にはそれぞれ、脚部１６が固定される固定側Ｓ１で固定糸１８の巻回部同士の間に隙間ｃが形成されるとともに、釣竿１の長手中心軸Ｏに対して固定側Ｓ１とは反対の反固定側Ｓ２で固定糸１８が密に巻回される密巻き部５０が形成される。【選択図】図２
2020162471.tif 000002
【特許請求の範囲】
【請求項１】
釣糸を挿通して案内するガイドリングを保持するリング保持部と、リング保持部から延びて釣竿の外表面に固定される脚部とを有する釣糸ガイドの固定構造において、
固定糸が前記脚部の外面上と前記釣竿の外周面上とにわたって巻回されて成る上糸巻回層と、固定糸が前記脚部と前記釣竿との間を通るように前記釣竿の外周面上にわたって巻回されて成る下糸巻回層とを有し、前記上糸巻回層及び前記下糸巻回層にはそれぞれ、前記脚部が固定される固定側で固定糸の巻回部同士の間に隙間が形成されるとともに、前記釣竿の長手中心軸に対して前記固定側とは反対の反固定側で固定糸が密に巻回される密巻き部が形成されることを特徴とする釣糸ガイドの固定構造。
【請求項２】
前記上糸巻回層と前記下糸巻回層とが共通の１本の固定糸によって形成され、前記固定側では、前記釣竿の軸方向に沿って前記下糸巻回層の巻回部と前記上糸巻回層の巻回部とが交互に配置されることを特徴とする請求項１に記載の釣糸ガイドの固定構造。
【請求項３】
前記リング保持部と前記脚部との間に屈曲部を有し、前記屈曲部に最も近い前記下糸巻回層の巻回部における固定糸の巻回数は、それ以外の巻回部における固定糸の巻回数よりも多いことを特徴とする請求項２に記載の釣糸ガイドの固定構造。
【請求項４】
請求項１から３のいずれか一項に記載の釣糸ガイドの固定構造を有する釣竿。
【発明の詳細な説明】
【技術分野】
【０００１】
本発明は、釣竿に固定されて釣糸を案内する釣糸ガイドの固定構造、及び、そのような固定構造を有する釣竿に関する。
【背景技術】
【０００２】
一般に、釣竿に取り付け固定される釣糸ガイドは、竿先端方向への引張力に対する強度が十分ではなく、一定以上の負荷が作用すると釣竿から抜けてしまう虞がある。そのため、釣糸ガイドを抜け難くし、負荷に十分耐え得る強度を有する釣糸ガイド固定構造が従来から様々に提案されてきた。
【０００３】
例えば、釣糸ガイドの抜け強度を増強させる手法としては、釣糸ガイドを固定するための固定糸の巻回方法の改変、巻回された固定糸に浸潤される接着剤の改質、或いは、釣糸ガイドと釣竿の竿杆との間にカーボンシートを挟むなどの手法を挙げることができる。
【０００４】
特に、固定糸の巻回方法の改変に関連し、特許文献１では、釣竿の竿杆上に釣糸ガイドの脚部を安定載置するための下糸層を形成し、この下糸層上に前記脚部を載置した後、脚部上から下糸層上にわたって脚部を固定する上糸層を形成するようにしている。
【０００５】
一方、特許文献２及び特許文献３は、下糸層を設けることなく、上糸層のみによって釣糸ガイドを釣竿に対して固定する固定構造を開示している。この場合、特許文献２は、隣接した糸条体間に隙間を形成し、この隙間に合成樹脂を侵入させる固定形態を採用している。また、特許文献３は、糸材に間隔を形成し、この間隔に接着剤を充填する固定形態を採用している。
【先行技術文献】
【特許文献】
【０００６】
【特許文献１】特開２０００−１８９００９号公報
【特許文献２】特開２００８−２１１９８２号公報
【特許文献３】特開２００６−３４２２８号公報
【発明の概要】
【発明が解決しようとする課題】
【０００７】
前述した特許文献１に開示される釣糸ガイド固定構造によれば、下糸層を形成することにより、釣糸ガイドの脚部を安定的に載置でき、釣糸ガイドの抜け強度を高めることができる。しかしながら、この特許文献１では、下糸層が小径で密に巻かれているため、下糸層の糸間や、下糸層と竿杆との間に合成樹脂（接着剤）が入り込み難い（釣糸ガイドと竿杆との間で接着剤の浸潤（充填）が不十分となる）。また、下糸層が釣糸ガイドの脚部よりも長く延在するとともに、上糸層の糸の外径が下糸層の糸の外径よりも大きいため、外観が損なわれる虞があり、したがって、上糸層の使用範囲を制限せざるを得なくなる場合もある。更に、下糸層と上糸層とで別糸を使用するため、糸の掛け替えが必要となり、工程数が増えてしまう。
【０００８】
一方、特許文献２及び特許文献３に開示される釣糸ガイド固定構造は、下糸層が存在しないため、釣糸ガイドの抜け強度が不十分であり、釣糸ガイドが抜け易いとともに、釣糸ガイドと竿杆との間に接着剤が入り込むことも困難である。特に、特許文献２では、糸条体間の隙間に侵入した合成樹脂が環状に露出しているため、特に釣糸ガイド取付部反対側が外部から衝撃を直接に受け易く破損し易い。また、特許文献３では、糸止め材の塗布とは別途に接着剤の充填も行なわれるため、作業が煩雑であり、糸止め材の存在に起因して接着剤を充填できない虞もある。
【０００９】
本発明は、上記した問題に基づいてなされたものであり、固定作業を煩雑にすることなく、外観を損なうことなく、釣糸ガイドと竿杆との間で接着剤（合成樹脂）の充填及び／又は浸潤の度合いを高めて釣糸ガイドと竿杆との固着強度を高めることができる（十分な抜け強度を有する）釣糸ガイドの固定構造及び釣竿を提供することを目的とする。
【課題を解決するための手段】
【００１０】
上記した課題を解決するために、本発明は、釣糸を挿通して案内するガイドリングを保持するリング保持部と、リング保持部から延びて釣竿の外表面に固定される脚部とを有する釣糸ガイドの固定構造において、固定糸が前記脚部の外面上と前記釣竿の外周面上とにわたって巻回されて成る上糸巻回層と、固定糸が前記脚部と前記釣竿との間を通るように前記釣竿の外周面上にわたって巻回されて成る下糸巻回層とを有し、前記上糸巻回層及び前記下糸巻回層にはそれぞれ、前記脚部が固定される固定側で固定糸の巻回部同士の間に隙間が形成されるとともに、前記釣竿の長手中心軸に対して前記固定側とは反対の反固定側で固定糸が密に巻回される密巻き部が形成されることを特徴とする。
【００１１】
上記構成によれば、釣糸ガイドの脚部を釣竿に対して固定する上糸巻回層のみならず、釣糸ガイドの脚部と釣竿との間に下糸巻回層も設けられているため、脚部と釣竿との間に間隙が生じ、この間隙の存在により、その後の固定側での接着剤の塗布に際してその接着剤が下糸巻回層のそれぞれの巻回部に達するまでの時間が短縮されて接着剤が各巻回部に速やかに浸潤するようになる。しかも、接着剤が塗布される固定側で下糸巻回層の巻回部同士の間に隙間が形成されているため、これらの隙間に接着剤が充填される（樹脂溜りが形成される）ことにより、下糸巻回層で接着剤の充填度合いが高くなり、したがって、釣糸ガイド（脚部）と釣竿との固着強度が接着剤（樹脂層）により格段に高まる。それに加えて、上糸巻回層にも固定側で固定糸の巻回部同士の間に隙間が形成されているため、それらの隙間に接着剤が充填されることにより固着強度が一層高まり、全体として釣糸ガイドの抜け強度が格段に向上される。
【００１２】
このような高い固着強度は、図５に示されるガイド抜け強度試験結果からも裏付けられる。すなわち、本発明者は、上記構成の本発明の釣糸ガイドの固定構造と、下糸巻回層が無く且つ上糸巻回層の巻回部同士の間に隙間が無い釣糸ガイドの固定構造とを、抜け強度の観点から比較する試験を行ない、図５に示される試験結果を得た。この試験では、釣糸ガイドの脚部の先端よりも７ｍｍ先から固定糸を釣竿の周囲に巻回し始めて脚部の根元（屈曲部への移行領域）に至るまで更に脚部上にもわたって固定糸を巻回した（屈曲部の前方側に回り込む２周巻回分（２プライ分）の枕巻きを含む）隙間のない上糸巻回層のみの釣糸ガイド固定構造（「比較例」）と、釣糸ガイドの脚部の先端付近から固定糸を脚部の外面上と釣竿の外周面上とにわたって１０周分（１０プライ分）だけ巻回することにより上糸巻回層の第１の巻回部を形成した後、固定糸を脚部と釣竿との間を通るように釣竿の外周面上にわたって１プライ分だけ巻回することにより下糸巻回層の第１の巻回部を形成し、その後、順に、５プライ分の上糸巻回層の第２の巻回部、２プライ分の下糸巻回層の第２の巻回部、５プライ分の上糸巻回層の第３の巻回部、３プライ分の下糸巻回層の第３の巻回部を形成して成る（屈曲部の前方側に回り込む２プライ分の枕巻きを含む）釣糸ガイド固定構造（「本発明」）とを、釣糸ガイド抜け時の荷重に関して比較した。具体的には、前述した「比較例」及び「本発明」の釣糸ガイド固定構造を伴う釣竿の部分を万力で挟持した状態で釣糸ガイドに引張り荷重を作用させ、釣糸ガイドが釣竿から抜けた時点の荷重を記録した。図５はその記録結果である。この結果から分かるように、「比較例」及び「本発明」のそれぞれに対して１０回試験を行なった際の荷重平均値は、「比較例」が１０．８ｋｇであったのに対し、「本発明」が１６．５ｋｇであった。すなわち、「本発明」は、「比較例」と比べて約１．５倍の抜け強度を有していた。
【００１３】
また、本発明の釣糸ガイドの固定構造は、このようにして高い固定強度（抜け強度）が得られることから、前述した特許文献１のように下糸巻回層を長く延在させる必要がなく且つ下糸巻回層の固定糸の外径と上糸巻回層の固定糸の外径とを異ならせる必要もなく、したがって、釣糸ガイドの外観（特に背面側（反固定側）から見た外観）に悪影響を及ぼすこともない。
【００１４】
また、上記構成では、上糸巻回層と下糸巻回層とが共通の１本の固定糸によって形成され、固定側では、釣竿の軸方向に沿って下糸巻回層の巻回部と上糸巻回層の巻回部とが交互に配置されることが好ましい。このような構成によれば、上糸巻回層及び下糸巻回層のそれぞれの巻回部同士の隙間が必然的に且つ効率的に形成されるため、作業性が良いとともに、上糸巻回層と下糸巻回層とを同じ１本の糸で構成しているため、前述した特許文献１のように糸の掛け替えも不要となり、固定作業全体の工程数を減らすこともできる（固定作業が容易となる）。
【００１５】
また、上記構成では、リング保持部と脚部との間に屈曲部を有し、屈曲部に最も近い下糸巻回層の巻回部における固定糸の巻回数が、それ以外の巻回部における固定糸の巻回数よりも多いことが好ましい。このような構成によれば、屈曲部に最も近い下糸巻回層の巻回部で固着強度を増大させて屈曲部付近の上糸巻回層の部位での破壊を防止できる。すなわち、本発明者は、前述した試験において、「比較例」の固定構造で釣糸ガイドの抜けが起きる原因が、屈曲部付近の上糸巻回層の巻回部（及び枕巻き部分）での破壊であることを見出した。そのため、屈曲部に最も近い下糸巻回層の巻回部における固定糸の巻回数をそれ以外の巻回部における固定糸の巻回数よりも多くして、屈曲部に最も近い下糸巻回層の巻回部への接着剤の浸潤度を増すことにより、この部位で固着強度が上がり、屈曲部付近の上糸巻回層の巻回部への負荷を低減させることができる（したがって、屈曲部付近の上糸巻回層の巻回部での破壊を防止できる）。
【００１６】
また、本発明は、上記構成の釣糸ガイドの固定構造を有する釣竿も提供する。
【発明の効果】
【００１７】
本発明によれば、固定作業を煩雑にすることなく、外観を損なうことなく、釣糸ガイドと竿杆との間で接着剤（合成樹脂）の充填及び／又は浸潤の度合いを高めて釣糸ガイドと竿杆との固着強度を高めることができる（十分な抜け強度を有する）釣糸ガイドの固定構造及び釣竿が得られる。
【図面の簡単な説明】
【００１８】
【図１】本発明の一実施形態に係る釣竿の概略側面図である。
【図２】本発明の第１の実施形態に係る釣糸ガイドの固定構造の要部拡大断面図である。
【図３】（ａ）は、図２の釣糸ガイドの固定構造の固定側の平面図、（ｂ）は、図２の釣糸ガイドの固定構造の反固定側の平面図である。
【図４】本発明の第２の実施形態に係る釣糸ガイドの固定構造の要部拡大断面図である。
【図５】本発明の釣糸ガイドの固定構造と従来の釣糸ガイドの固定構造とを抜け強度の観点から比較した試験結果である。
【発明を実施するための形態】
【００１９】
以下、添付図面を参照しながら、本発明の一実施形態について具体的に説明する。
図１に示されるように、本実施形態の釣竿１は、元竿３、中竿５、及び、穂先竿１０を備えており、各竿は、並継ぎ式によって継合されている。また、釣竿１には、元竿３にリールシート４が設けられており、元竿３、中竿５、及び、穂先竿１０には、リールシート４に装着されるリールＲから繰り出される釣糸を案内する釣糸ガイド７（７Ａ，７Ｂ，７Ｃ）が適所に取着される。図１では、元竿３に設けられる釣糸ガイドが７Ａで示され、中竿５に設けられる釣糸ガイドが７Ｂで示され、穂先竿１０に設けられる釣糸ガイドが７Ｃで示される。また、穂先竿１０の先端には、トップガイド８が取着されている。この場合、各釣糸ガイド７Ａ，７Ｂ，７Ｃ及びトップガイド８は、後述するように、竿杆の外周面に糸巻き及び接着剤によって取着されている。
【００２０】
なお、図１に示される釣竿１は、並継ぎ式として構成されるが、各竿の継合構造は、振出方式、逆並継方式、インロー方式であってもよい。また、中竿５は複数本（２本以上）あってもよく、無くてもよい。また、全体として１本竿で構成されていてもよい。
【００２１】
元竿３及び中竿５は、好ましくは、繊維強化樹脂製の管状体（中空竿杆）で構成されており、例えば、強化繊維（主に炭素繊維やガラス繊維等）にエポキシ樹脂等の合成樹脂を含浸した繊維強化樹脂プリプレグ（プリプレグシート）を芯金に巻回して加熱工程を経た後、脱芯する等、定法にしたがって所定寸法の管状に形成されている。
【００２２】
図２及び図３には、釣竿１の竿杆５，１０に対して釣糸ガイド７（７Ａ，７Ｂ，７Ｃ）を固定するための固定構造の第１の実施形態が拡大して示されている。図示のように、釣糸ガイド７は、釣糸を挿通して案内するガイドリング２０を保持するリング保持部１５と、リング保持部１５から延びて釣竿１の外表面に固定される脚部１６とを有する。また、釣糸ガイド７は、リング保持部１５と脚部１６との間に、上方に立ち上がってリング保持部１５を釣竿１の外表面から離間させる屈曲部１７を有する。
【００２３】
釣竿１に対して釣糸ガイド７を固定するための本実施形態の固定構造は、固定糸１８が脚部１６の外面上と釣竿１の外周面上とにわたって巻回されて成る上糸巻回層３０と、固定糸１８が脚部１６と釣竿１との間を通るように釣竿１の外周面上にわたって巻回されて成る下糸巻回層４０とを有する。この場合、上糸巻回層３０には、脚部１６が固定される固定側Ｓ１で固定糸１８の巻回部３０Ａ，３０Ｂ，３０Ｃ，３０Ｄ同士の間に隙間ｃが形成されている。また、下糸巻回層４０にも、脚部１６が固定される固定側Ｓ１で固定糸１８の巻回部４０Ａ，４０Ｂ，４０Ｃ同士の間に隙間ｃが形成されている。また、このようにして形成される上糸巻回層３０及び下糸巻回層４０は、協働して、釣竿１の長手中心軸Ｏに対して固定側Ｓ１とは反対の反固定側Ｓ２で、固定糸１８が密に巻回される密巻き部５０を形成している。
【００２４】
特に、本実施形態では、上糸巻回層３０と下糸巻回層４０とが共通の１本の固定糸１８によって形成されており、そのため、固定側Ｓ１では、釣竿１の軸方向に沿って下糸巻回層４０の巻回部４０Ａ，４０Ｂ，４０Ｃと上糸巻回層３０の巻回部３０Ａ，３０Ｂ，３０Ｃ，３０Ｄとが交互に配置されている。
【００２５】
具体的には、このような形態の上糸巻回層３０及び下糸巻回層４０は、以下のように固定糸１８を巻回することによって形成される。なお、図２及び図３における固定糸１８の巻回数は、図示を簡単にするために、以下の説明における固定糸１８の巻回数と必ずしも一致していない。
【００２６】
図２及び図３に示されるように、まず最初に、釣糸ガイド７の脚部１６の先端（図２の左端）付近から固定糸１８を脚部１６の外面上と釣竿の外周面上とにわたって１０周分（１０プライ分）以上巻回することにより上糸巻回層３０の第１の巻回部３０Ａを形成する。その後、第１の巻回部３０Ａを形成した固定糸１８をそのまま脚部１６と釣竿１との間を通るように釣竿１の外周面上にわたって１プライ分だけ巻回することにより下糸巻回層４０の第１の巻回部４０Ａを形成する。次に、再び、その固定糸１８を脚部１６の外面上と釣竿１の外周面上とにわたって５プライ分だけ巻回することにより上糸巻回層３０の第２の巻回部３０Ｂを形成し、そのまま、その固定糸１８を脚部１６と釣竿１との間を通るように釣竿１の外周面上にわたって２プライ分だけ巻回することにより下糸巻回層４０の第２の巻回部４０Ｂを形成する。
【００２７】
その後、下糸巻回層４０の第２の巻回部４０Ｂを形成したその固定糸１８を脚部１６の外面上と釣竿１の外周面上とにわたって５プライ分だけ巻回することにより上糸巻回層３０の第３の巻回部３０Ｃを形成した後、そのまま、その固定糸１８を脚部１６と釣竿１との間を通るように釣竿１の外周面上にわたって３プライ分だけ巻回することにより下糸巻回層４０の第３の巻回部４０Ｃを形成し（したがって、屈曲部１７に最も近いこの巻回部４０Ｃにおける固定糸１８の巻回数は、それ以外の巻回部４０Ａ，４０Ｂにおける固定糸１８の巻回数よりも多い）、最後に、その固定糸１８を脚部１６の外面上と釣竿１の外周面上とにわたって屈曲部１７の根元まで巻回することにより上糸巻回層３０の第４の巻回部３０Ｄを形成して、屈曲部１７の前方側に回り込む枕巻きを２プライ分施して完了する。これにより、脚部１６が固定される固定側Ｓ１では、釣竿１の軸方向に沿って下糸巻回層４０の巻回部４０Ａ，４０Ｂ，４０Ｃと上糸巻回層３０の巻回部３０Ａ，３０Ｂ，３０Ｃ，３０Ｄとがそれぞれ隙間ｃを伴って交互に配置されて成る巻回形態が得られる。また、このような巻回形態において、反固定側Ｓ２では、隙間を形成することなく固定糸１８を密に巻回して密巻き部５０を形成する。そして、このような巻回形態が得られたら、巻回層３０，４０上に接着剤を塗布する。
【００２８】
以上説明したように、本実施形態によれば、釣糸ガイド７の脚部１６を釣竿１に対して固定する上糸巻回層３０のみならず、釣糸ガイド７の脚部１６と釣竿１との間に下糸巻回層４０も設けられているため、脚部１６と釣竿１との間に間隙ｃが生じ、この間隙ｃの存在により、その後の固定側Ｓ１での接着剤の塗布に際してその接着剤が下糸巻回層４０のそれぞれの巻回部４０Ａ，４０Ｂ，４０Ｃに達するまでの時間が短縮されて接着剤が各巻回部４０Ａ，４０Ｂ，４０Ｃに速やかに浸潤するようになる。しかも、接着剤が塗布される固定側Ｓ１で下糸巻回層４０の巻回部４０Ａ，４０Ｂ，４０Ｃ同士の間に隙間ｃが形成されているため、これらの隙間ｃに接着剤が充填される（樹脂溜りが形成される）ことにより、下糸巻回層４０で接着剤の充填度合いが高くなり、したがって、釣糸ガイド７（脚部１６）と釣竿１との固着強度が接着剤（樹脂層）により格段に高まる。それに加えて、上糸巻回層３０にも固定側Ｓ１で固定糸１８の巻回部３０Ａ，３０Ｂ，３０Ｃ，３０Ｄ同士の間に隙間ｃが形成されているため、それらの隙間ｃに接着剤が充填されることにより固着強度が一層高まり、全体として釣糸ガイド７の抜け強度が格段に向上される。
【００２９】
また、本実施形態の釣糸ガイド７の固定構造は、このようにして高い固定強度（抜け強度）が得られることから、前述した特許文献１のように下糸巻回層４０を長く延在させる必要がなく且つ下糸巻回層４０の固定糸１８の外径と上糸巻回層３０の固定糸１８の外径とを異ならせる必要もなく、したがって、釣糸ガイド７の外観（特に背面側（反固定側）から見た外観）に悪影響を及ぼすこともない。
【００３０】
また、本実施形態では、上糸巻回層３０と下糸巻回層４０とが共通の１本の固定糸１８によって形成されるとともに、固定側Ｓ１では、釣竿１の軸方向に沿って下糸巻回層４０の巻回部４０Ａ，４０Ｂ，４０Ｃと上糸巻回層３０の巻回部３０Ａ，３０Ｂ，３０Ｃ，３０Ｄとが交互に配置されている。このような構成によれば、上糸巻回層３０及び下糸巻回層４０のそれぞれの巻回部同士の隙間ｃが必然的に且つ効率的に形成されるため、作業性が良いとともに、上糸巻回層３０と下糸巻回層４０とを同じ１本の糸で構成しているため、前述した特許文献１のように糸の掛け替えも不要となり、固定作業全体の工程数を減らすこともできる（固定作業が容易となる）。
【００３１】
また、本実施形態の釣糸ガイド７は、リング保持部１５と脚部１６との間に屈曲部１７を有し、屈曲部１７に最も近い下糸巻回層４０の巻回部４０Ｃにおける固定糸１８の巻回数が、それ以外の巻回部４０Ａ，４０Ｂにおける固定糸１８の巻回数よりも多くなっている。このような構成によれば、屈曲部１７に最も近い下糸巻回層４０の巻回部４０Ｃで固着強度を増大させて屈曲部１７付近の上糸巻回層３０の部位での破壊を防止できる。
【００３２】
図４は、本発明の第２の実施形態に係る釣糸ガイドの固定構造を示している。図示のように、この実施形態に係る釣糸ガイド７の固定構造も、第１の実施形態と同様に、固定糸１８が脚部１６の外面上と釣竿１の外周面上とにわたって巻回されて成る上糸巻回層３０（巻回部３０Ａ，３０Ｂ，３０Ｃ，３０Ｄ；巻回部の数はこれに限らない）と、固定糸１８が脚部１６と釣竿１との間を通るように釣竿１の外周面上にわたって巻回されて成る下糸巻回層４０（この図では、第１の実施形態よりも２つ多い巻回部４０Ａ，４０Ｂ，４０Ｃ，４０Ｄ，４０Ｅ；巻回部の数はこれに限らない）とを有している。そして、同様に、上糸巻回層３０及び下糸巻回層４０にはそれぞれ、固定側Ｓ１で固定糸１８の巻回部同士の間に隙間ｃが形成されている。
【００３３】
しかしながら、本実施形態の釣糸ガイド７の固定構造は、上糸巻回層３０と下糸巻回層４０とが別糸によって形成されている点が第１の実施形態と異なる。これらの巻回層３０，４０が別糸により形成されていることから、反固定側Ｓ２では下糸巻回層４０の密巻き部４０’上に上糸巻回層３０の密巻き部３０’が積層された状態となっている。この場合、固定側Ｓ１における下糸巻回層４０の延在長さＸ１は、隙間ｃを伴う分だけ、反固定側Ｓ２における下糸巻回層４０の密巻き部４０’の延在長さＸ２よりも長くなっている。同様に、固定側Ｓ１における上糸巻回層３０の延在長さＹ１は、隙間ｃを伴う分だけ、反固定側Ｓ２における上糸巻回層３０の密巻き部３０’の延在長さＹ２よりも長くなっている。
【００３４】
このような本実施形態の釣糸ガイド固定構造においても、第１の実施形態と同様の作用効果を奏することができる。
【００３５】
以上、添付図面に関連して本発明の実施形態を説明してきたが、本発明は、前述した実施形態に限定されず、その要旨を逸脱しない範囲で種々変形して実施できる。例えば、前述の実施形態では、釣糸ガイドが１つの脚部を有していたが、脚部の数が複数であっても構わない。その場合には、各脚部に対してそれぞれ前述した固定構造を適用できる。また、固定糸の巻回数、巻回部の数なども前述した実施形態のそれに限定されない。
【符号の説明】
【００３６】
１  釣竿
７  釣糸ガイド
１５  リング保持部
１６  脚部
１８  固定糸
２０  ガイドリング
３０  上糸巻回層
３０Ａ，３０Ｂ，３０Ｃ，３０Ｄ  巻回部
４０  下糸巻回層
４０Ａ，４０Ｂ，４０Ｃ，４０Ｄ，４０Ｅ  巻回部
ｃ  隙間
３０’，４０’，５０  密巻き部
【図１】
2020162471.tif 000003
【図２】
2020162471.tif 000004
【図３】
2020162471.tif 000005
【図４】
2020162471.tif 000006
【図５】
2020162471.tif 000007